【事件の表示】
　特許第３２６１０８４号「遊技機の制御基板収納ケース」の請求項１に係る特許に対する特許異議の申立てについて、次のとおり決定する。
【結　論】
　訂正を認める。
　特許第３２６１０８４号の請求項１に係る特許を維持する。
【理　由】
［１］手続の経緯
　 本件特許第３２６１０８４号の請求項１に係わる発明は、平成９年９月２６日に特許出願され、平成１３年１２月１４日にその特許権の設定登録がなされ、その後、町田　彬より特許異議申立がなされ、取消しの理由が通知され、その指定期間内である、平成１５年２月５日に訂正請求がなされたものである。
　　
［２］訂正の適否
　（１）訂正の内容
　訂正事項ａ
　特許請求の範囲の請求項１について、
「制御基板が収納されるケース本体と、該ケース本体の開口部を遮蔽する蓋体とを備えてなる制御基板収納ケースにおいて、
　前記ケース本体の少なくともその一側縁と、該一側縁に対応する蓋体の一側縁のいずれか一方に、取付け孔を備えた複数のボス部を設け、他方に、各ボス部と一対を成し、前記取付け孔に螺着される螺子の頭部を係止する複数のフランジ部を設け、緊締方向へのみ螺回操作可能な操作頭部を備えてなる締結螺子によって前記各一対のボス部とフランジ部とを順次締結することにより、所定回数分の封印を可能とし、
　さらに前記ボス部に、再封印に必要な締結螺子の予備螺子を入出し得る入出口を備えた収納部を、封印時に、前記入出口がフランジ部で塞がれることとなるように設けたことを特徴とする遊技機の制御基板収納ケース。」
　とあるのを、
「制御基板が収納されるケース本体と、該ケース本体の開口部を遮蔽する蓋体とを備えてなる制御基板収納ケースにおいて、
　前記ケース本体の少なくともその一側縁と、該一側縁に対応する蓋体の一側縁のいずれか一方に、取付け孔を備えた複数のボス部を設け、
　他方に、各ボス部と一対を成し、蓋体を閉じた状態で、前記取付孔と連通する挿通孔が形成された、破壊可能な前記取付け孔に螺着される螺子の頭部を係止する複数のフランジ部を設け、
　緊締方向へのみ螺回操作可能な操作頭部を備えてなる締結螺子を、フランジ部の挿通孔から挿通してボス部の取付孔に螺着緊締することにより、ボス部とフランジ部とが締結可能とされ、
　かつ該締結螺子によって、前記各一対のボス部とフランジ部とを順次締結することにより、所定回数分の封印を可能とし、
　さらに前記ボス部に、再封印に必要な締結螺子の予備螺子を入出し得る入出口を備えた収納部を、封印時に、前記入出口がフランジ部で塞がれることとなるように設けたことを特徴とする遊技機の制御基板収納ケース。」
に訂正する。
　
（２）訂正要件充足性の検討
　前記訂正は、特許請求の範囲の請求項１の明瞭でない記載の釈明、及び減縮を目的とするもので、フランジ部の切断などによるフランジ部の破壊は、明細書の段落【００２１】、【００２７】に記載されているから、当該訂正は前記明瞭でない記載の釈明、及び減縮を目的とした訂正に該当する。
　　　
　（３）まとめ
したがって、上記訂正は、特許法第１２０条の４第２項及び同条第３項で準用する第１２６条第２項から第４項までの規定に適合するので当該訂正を認める。
　　　　
［３］特許異議申立についての判断
　（１）申立理由の概要
異議申立人町田　彬は、請求項１に係わる発明は、甲第１号証（特開平１０−２４９０１９号公報：特願平９−７８９６８号）、又は、甲第２号証（特開平１０−２１６３２４号公報：特願平９−２１６３８号）の明細書、及び図面に記載された発明と同一であって、発明者及び出願人も相違するものであるから、特許法第２９条の２の規定により特許を受けることができないものである。
　したがって、本件特許を取り消すべきである旨主張する。
　　
　（２）本件の請求項１に係わる発明
　　前記［２］で示したように前記訂正が認められるものであるから、本件の請求項１に係わる発明（以下「本件発明」という）は、前記訂正に係る訂正明細書の特許請求の範囲の請求項１に記載されたとおりのものである（前記［２］訂正事項参照）。
    そこで、本件発明を分説すると以下のとおりである（以下、分説した各要件を「要件（ア）」のように表記する。）。
　　（ア）制御基板が収納されるケース本体と、該ケース本体の開口部を遮蔽する蓋体とを備えてなる制御基板収納ケースにおいて、
　　（イ）前記ケース本体の少なくともその一側縁と、該一側縁に対応する蓋体の一側縁のいずれか一方に、取付け孔を備えた複数のボス部を設け、他方に、各ボス部と一対を成し、蓋体を閉じた状態で、前記取付孔と連通する挿通孔が形成された、破壊可能な複数のフランジ部を設け、
　　（ウ）緊締方向へのみ螺回操作可能な操作頭部を備えてなる締結螺子を、フランジ部の挿通孔から挿通してボス部の取付孔に螺着緊締することにより、ボス部とフランジ部とが締結可能とされ、
　かつ該締結螺子によって、前記各一対のボス部とフランジ部とを順次締結することにより、所定回数分の封印を可能とし、
　　（エ）さらに前記ボス部に、再封印に必要な締結螺子の予備螺子を入出し得る入出口を備えた収納部を、封印時に、前記入出口がフランジ部で塞がれることとなるように設けたことを特徴とする
　　（オ）遊技機の制御基板収納ケース。
　　
　（３）刊行物
　　異議申立人が証拠として提出した刊行物には、各々以下の事項が記載されている。
　　刊行物１：特開平１０−２４９０１９号公報（甲第１号証）
　　　(i)．段落【００２５】に、回路基板ボックス６２を例にして、要件（ア）に相当する事項が記載されている。
　　　(ii)．「本体枠１０７の長手方向の両側壁には、上板８１側の各取付片部８３ａ〜８３ｄの取付穴９９ａと対応する複数（４つ）の取付穴１１６が穿設されている」（第１３欄第３〜６行）との記載等から、フランジ部と一対をなす対象がボス部ではない点を除いて要件（イ）に相当する事項が記載されている。
　　　(iii)．「ワンウエイネジ１３０は、ネジ１３０締め方向にしか回らない特殊なネジであり、一旦締め付けるとネジ１３０を破壊しない限り取り外すことができない。」（第１３欄第４９行〜第１４欄第２行）との記載等から、フランジ部と一対をなす対象がボス部ではない点を除いて要件（ウ）に相当する事項が記載されている。
　　　(iv)．再封印に必要な予備螺子に関して、「また、このような蓋体８０とボックス体１００との組み付け状態において、各取付片部８３ａ〜８３ｄ間のスリット状溝には、ワンウエイネジ１３０が螺着されずに予備的に取付られている。」（第１３欄第４６行〜４９行）、「また、上板８１の長手方向の両端には、複数（実施形態中では、４つ）の取付片部８３ａ〜８３ｄが並設されている。取付片部８３ａ〜８３ｄには、相互に間を連結する連結片８９ａ〜８９ｃが一体形成されている。なお、各取付片部８３ａ〜８３ｄ間には、スリット状の溝が形成され、連結片８９は、取付片部８３ａ〜８３ｄの外壁面から突出した状態で設けられている。」（第９欄末行〜第１０欄第６行）等記載され、再封印に必要なワンウエイネジは、蓋に並設された取付片部のスリットに設けられ、さらに、第７図、及び第１０を参照すると、各取付片部８３ａ〜８３ｄは、組み付け状態において本体枠１０７の外側に配設されることが示されている。」
　　　(v)．発明の名称に「遊技機の基板収納ボックス」と記載され、前記要件（オ）が記載されている。　　　　　　
　
　　刊行物２：特開平１０−２１６３２４号公報（甲第２号証）
　　　(i)．「制御基板収納ボックスの一部破断正面図を示した図１及び同説明図を示した図２において、パチンコ機における合成樹脂製の制御基板収納ボックス１０は、制御基板１１を収納するケース１２と、そのケース１２に取り付けられて前記制御基板１１を覆うカバー体１３とを備えている。」（第３欄第３７〜４２行）の記載より、前記要件（ア）が記載されている。
　　　(ii)．「図７に示すようにケース体１２の側壁１２ａには、有底状の下穴４２ａを有する封印ボス部４２が開封部４２ｂを介して突出状に形成されている。」（第７欄第５〜８行）、「また、カバー体１３の側壁１３ａには、前記ケース体１２の封印ボス部４２と対応する封印締着部４４が開封部４４ｂを介して突出状に形成されている。」（第７欄第８〜１１行）、「また当局の立ち入り検査等の場合において、カバー体１３を正当な理由の下に外したい場合には、３ヶ所の封印部群３６の「１」の封印番号５０における開封部４２ｂ，４４ｂを切断することにより、前記封印ビス３８を締めつけたままカバー体１３を簡単に取り外すことができる。これにより制御基板１１の実装面１１ａの検査が可能となる。なお封印部３７の開封に際しては、カバー体１３の開封部４４ｂとケース体１２の開封部４２ｂのうち、少なくとも一方が切断されればよい。」（段落【００３２】）等の記載から、前記要件（イ）が記載されている。
　　　(iii)．「【００２５】上記の構成を有する封印ビス３８は、回動工具による締めつけを可能とする一方、回動工具の弛め方向（図９（ａ）中、矢印Ｂ方向参照）に対する頭部４０の係合力を小さくしかつ弛め方向のネジ山３９ａの回動抵抗を大きくすることにより、締めつけ状態からの取り外し不能となっている。」（第６欄第４４〜４９行）、「【００３３】また、３ヶ所の封印部群３６における「２」の封印番号５０の封印部３７のビス保持部４７に仮止めされた封印ビス３８を回動工具により封印ボス部４２に締めつけて封印すれば、制御基板収納ボックス１０を再使用することができる。上記の繰り返しにより封印番号５０の「３」、「４」の順に封印をやり直すことができる。従って、本形態の制御基板収納ボックス１０の場合、４回分の封印が行える。」（段落【００３３】）等の記載から、前記要件（ウ）が記載されている。
　　　(iv)．再封印に必要な予備螺子に関して、「【００２８】前記封印締着部４４において、ビス保持部４７に封印ビス３８が挿入されることにより、封印ビス３８の頭部４０によりビス保持部４７がスリット４８間を開くように拡開され、その拡開に抵抗する弾性によって頭部４０が保持されることによって仮止めされる（図６参照）」（第７欄第３２〜３７行）、「【００４４】［実施の形態２］実施の形態２について図１１を参照して説明する。本実施の形態２は実施の形態１の一部を変更したものであるからその変更部分について詳述し、それ以外の重複する説明は省略する。また、形態３以降の実施の形態についても同様の考えで重複する説明は省略する。」（段落【００４４】）、「【００４５】本形態は、実施の形態１の封印ビス３８の仮止め構造に変更を加えたものである。・・・。なおビス保持部４７のスリット４８の個数は適宜選択されるもので限定されない。」（段落【００４５】）、「【００４６】実施の形態３について図１２を参照して説明する。本形態は、実施の形態２の封印ビス３８の仮止め構造に変更を加えたものである。・・・また、１２（ｃ）に示すように、ビス孔４４ａの内周面には、適数個（図は３個を示す。）の支持突起５４が形成されている。」（段落【００４６】）、「【００５２】［実施の形態４］実施の形態４について図１３を参照して説明する。本形態は実施の形態３の封印ビス３８の仮止め構造に変更を加えたものである。・・・また、抜け止めキャップ５６は、ポリプロピレン樹脂等の軟質の樹脂材料によって成形されており、キャップ主部５６ａをビス保持部４７にその変形を以て嵌着可能に形成されている。この場合、ビス保持部４７のスリット４８は不要である。」（段落【００５２】）、「【００５６】［実施の形態５］実施の形態５について図１４を参照して説明する。本形態は実施の形態４の封印ビスの仮止め構造に変更を加えたものである。図１４は封印部の断面図である。図１４に示すように、実施の形態４における抜け止めキャップ５６を排除し、ビス孔４４ａを下孔５９として、その下孔５９に封印ビス３８を螺着したものである。」（段落【００５６】）、「【００５９】【実施の形態６】実施の形態６について図１５を参照して説明する。本形態は封印ビス３８の変更例を示すものである。・・・、シャービスと呼ばれるもので、図１５（ａ）に示すように、・・・、ドライバー等の回動操作部材の所定以上の締め付け力によって剪断するくびれ部６５を備えている。」（段落【００５９】）、と記載されている。
　　　(v)．発明の名称に「パチンコ機の制御基板ボックス」と記載され、前記要件（オ）が記載されている。
　　　　
　（４）対比判断
　　本件発明と上記刊行物１、及び２に記載の発明とを対比すると、本件発明を特定する事項である、前記要件（エ）、すなわち、「前記ボス部に、再封印に必要な締結螺子の予備螺子を入出し得る入出口を備えた収納部を、封印時に、前記入出口がフランジ部で塞がれることとなるように設けたこと」を、後２者は具備していない。
　また、当該要件（エ）により、使用場所であるボス部の取付け孔に近接する位置に予備螺子を配置することができ、収納ケースの封印時には、収納部の入出口がフランジで塞がれることにより、その抜け落ちを防止することができ、収納ケースを開放すれば、入出口が同時に開放され、予備螺子の存在の視認が容易であるとともに、開放された入出口から即座に取り出して使用することができるという顕著な効果を本件発明は奏するものである。
　したがって、本件発明が上記刊行物１、又は刊行物２に記載されたものと同一ということはできない。
　　　
　（５）なお、異議申立人は、上申書（平成１５年３月１８日付）を以て、　(i)本件発明は特願平１３−１１７７６２号の請求項２に記載された発明と同一である旨、及び(ii)フランジ部を「破壊可能」としただけでは、フランジの何処の部分をどのように破壊するかが、当業者の技術常識を考慮しても明確ではない旨主張する。
　しかしながら、
　前記(i)の請求項２に記載された発明は、予備螺子の収納部を、ケース本体の側板部の内壁面と限定している点において本件発明と相違するものである。また、「破壊」とは「やぶれこわれること。やぶりこわすこと。」（広辞苑「破壊」参照）であるから、フランジ部がやぶれて無くなれば、フランジ部とボス部の封印が解除され、それで充分であるので、フランジ部の破壊位置を特定しなければならない理由は認められない。
　したがって、異議申立人の前記主張は理由がない。
　　
　（６）むすび
　　以上のとおりであるから、特許異議申立の理由及び証拠によっては、本件発明に係わる特許を取り消すことができない。　また、他に本件発明に係わる特許を取り消すべき理由を発見しない。
　よって、結論のとおり決定する。　
【異議決定日】
平成１５年６月６日（２００３．６．６）
【訂正の要旨】
▲１▼　補正点１
ａ）　補正内容
　請求項１を次の下線部分のように補正した。
　【請求項１】
　制御基板が収納されるケース本体と、該ケース本体の開口部を遮蔽する蓋体とを備えてなる制御基板収納ケースにおいて、
　前記ケース本体の少なくともその一側縁と、該一側縁に対応する蓋体の一側縁のいずれか一方に、取付け孔を備えた複数のボス部を設け、
他方に、各ボス部と一対を成し、
蓋体を閉じた状態で、前記取付け孔と連通する挿通孔が形成された、破壊可能な
緊締方向へのみ螺回操作可能な操作頭部を備えてなる締結螺子を、
フランジ部の挿通孔から挿通してボス部の取付孔に螺着緊縮することにより、ボス部とフランジ部とが締結可能とされ、
かつ該
　さらに前記ボス部に、再封印に必要な締結螺子の予備螺子を入出し得る入出口を備えた収納部を、封印時に、前記入出口がフランジ部で塞がれることとなるように設けたことを特徴とする遊技機の制御基板収納ケース。
（５４）【発明の名称】
遊技機の制御基板収納ケース
（５７）【特許請求の範囲】
　【請求項１】
　制御基板が収納されるケース本体と、該ケース本体の開口部を遮蔽する蓋体とを備えてなる制御基板収納ケースにおいて、
　前記ケース本体の少なくともその一側縁と、該一側縁に対応する蓋体の一側縁のいずれか一方に、取付け孔を備えた複数のボス部を設け、
他方に、各ボス部と一対を成し、
蓋体を閉じた状態で、前記取付け孔と連通する挿通孔が形成された、破壊可能な
緊締方向へのみ螺回操作可能な操作頭部を備えてなる締結螺子を、
フランジ部の挿通孔から挿通してボス部の取付孔に螺着緊締することにより、ボス部とフランジ部とが締結可能とされ、
かつ該
　さらに前記ボス部に、再封印に必要な締結螺子の予備螺子を入出し得る入出口を備えた収納部を、封印時に、前記入出口がフランジ部で塞がれることとなるように設けたことを特徴とする遊技機の制御基板収納ケース。
【発明の詳細な説明】
　【０００１】
　【発明の属する技術分野】
　本発明は、パチンコ機、スロットマシン等の遊技機の制御基板収納ケースに関する。
　【０００２】
　【従来の技術】
　パチンコ機、スロットマシン等の遊技機にあって、大当り発生確率等の遊技制御内容は制御基板に配設されたＲＯＭに書き込まれている。この遊技制御内容は、法的規制に沿うように設定されており、認可を受けた遊技機の遊技制御内容を勝手に変更することはできない。ところが前記ＲＯＭを交換することにより遊技制御内容を容易に変更することができるため、制御基板を収納したケースを開放してＲＯＭを交換し、遊技制御内容を変更する不正行為が行われる。
　【０００３】
　従来、かかる不正行為を防止するために、制御基板の収納ケースを構成するケース本体と、該ケース本体に被着した蓋体との境目部分をシールで封印するようにしていた。該シールは、剥離すると印刷内容がシール基材と収納ケース側とに分かれて剥離した痕跡が残るようになっており、これによって収納ケースの開放を防止して不正行為を行えないようにするものであった。
　【０００４】
　【発明が解決しようとする課題】
　ところが、上述の封印シールを特殊な溶剤を用いて痕跡を残さずに簡単に剥離する方法が知られるようになり、かかる封印シールでは、収納ケースの開放を確実に防止することができず、依然としてＲＯＭの交換による遊技制御内容の不正変更が行われているのが実状である。
　【０００５】
　本発明は、このような従来の実状に鑑みてその改善を試みたものであり、痕跡を残さずに収納ケースを開放することができず、しかも、再封印が可能な遊技機の制御基板収納ケースを提供することを目的とするものである。
　【０００６】
　【課題を解決するための手段】
　本発明は、制御基板が収納されるケース本体と、該ケース本体の開口部を遮蔽する蓋体とを備えてなる制御基板収納ケースにおいて、
　前記ケース本体の少なくともその一側縁と、該一側縁に対応する蓋体の一側縁のいずれか一方に、取付け孔を備えた複数のボス部を設け、
他方に、各ボス部と一対を成し、
蓋体を閉じた状態で、前記取付け孔と連通する挿通孔が形成された、破壊可能な
緊締方向へのみ螺回操作可能な操作頭部を備えてなる締結螺子を、
フランジ部の挿通孔から挿通してボス部の取付孔に螺着緊締することにより、ボス部とフランジ部とが締結可能とされ、
かつ該
　さらに前記ボス部に、再封印に必要な締結螺子の予備螺子を入出し得る入出口を備えた収納部を、封印時に、前記入出口がフランジ部で塞がれることとなるように設けたことを特徴とする遊技機の制御基板収納ケースである。
　【０００７】
　ここで前記締結螺子としては、緊締方向へのみ螺回操作可能な操作頭部を備え、胴部に雄螺子が形成されてなるワンウエイビスが好適なものとして提案される。
　【０００８】
　かかる構成にあって、一対のボス部とフランジ部とを締結螺子によって締結することにより、蓋体の閉止状態が保持され、収納ケースが封印される。前記締結螺子は一度緊締すると弛緩方向への螺回操作が不能であるため、該締結螺子の取り外しによる収納ケースの開放はできない。このため、検査等でやむを得ず収納ケースを開放する場合には、封印部分を破壊しなければならず、これにより開封の痕跡が残される。また、再度の封印は、他の一対のボス部とフランジ部とを締結螺子によって締結することで成し得る。これにより一対を成すボス部とフランジ部の数に対応した所定回数の封印が可能である。
　【０００９】
　また、前記構成からなる制御基板収納ケースにあって、封印時に、前記入出口をフランジ部で塞ぐように設けるようにしたから、蓋体の開放時のみ取り出し可能となり、再封印に必要な締結螺子の予備螺子を収納する収納部を設けることができる。
　【００１０】
　かかる構成からなる収納部に、締結螺子の予備螺子を収納することにより、使用時期が不定であり、かつ、特殊な螺子である締結螺子の予備を常時確保することができる。また、収納ケースの封印時には、収納部の入出口をフランジ部で塞ぐことにより、その抜け落ちを防止することができ、収納ケースを開放すれば、入出口が同時に開放され、予備螺子の存在の視認が容易であるとともに、開放された入出口から即座に取り出して使用することができる。
　【００１１】
　【発明の実施の形態】
　本発明の一実施例を、図１〜図８について説明する。
　図面において、１は本発明にかかる制御基板収納ケースであって、該制御基板収納ケース１は、パチンコ機裏面や、スロットマシン内部の所定位置に配設される。この制御基板収納ケース１は、上方を開口した矩形筐体状のケース本体２と、該ケース本体２の上方開口部３を遮蔽する蓋体４とを備えている。ケース本体２と蓋体４は、その長手方向に沿う一側縁の二箇所に夫々対向状に設けられたヒンジ部５ａ，５ｂ、５ａ，５ｂを回動可能に枢結することにより、その枢結部を支点として蓋体４を片開き状に開閉し得るようになっている。
　【００１２】
　前記ケース本体２内には、制御基板６が収納される。該制御基板６はプリント配線板７とその上面に配設されたＣＰＵ，ＲＯＭ，ＲＡＭ等の電子部品８とからなり、該ＲＯＭに大当り発生確率等の遊技制御内容が書き込まれている。また、ケース本体２の底板９は周縁を残して略全面が開口されており、該開口部１０は透明板１１によって遮蔽されている。該透明板１１は、前記底板９の周縁四隅位置に形成された固定用突起１２に対して、その対応する四隅部分が嵌合され、かつ、上部に重ね合わせられた前記制御基板６とともに各固定用突起１２に螺子固定されている。これにより、制御基板６を保護するとともに、該制御基板６を構成するプリント配線板７のハンダ付け裏面７’をケース本体２の底面側から視認できるようにしている。さらに、ケース本体２は、導電性を有するカーボン入り合成樹脂で成形されており、静電気の帯電を防止して前記制御基板６を保護し得るようになっている。
　【００１３】
　一方、前記蓋体４は透明な合成樹脂で成形され、ケース本体２内に収納された制御基板６の電子部品８を上部から視認できるようにしている。また、該蓋体４の裏面には、導電ネット面１３’を下面に備えた透明板１３が積層されており、該導電ネット面１３’によって前記制御基板６を静電気から保護し得るようになっている。また、蓋体４は、その長手方向の縦幅がケース本体２の縦幅と略等しく、横幅がケース本体２の横幅より小さくなっており、さらに前記ヒンジ部５ｂ，５ｂの対向縁を下方に向けてＬ形に曲成することにより側板部４’が形成されている。これにより、蓋体４を閉じた状態において、図７，図８に示すように、該側板部４’に対向するケース本体２の側板部との間に間隙１４が生じるようにしており、制御基板６を外部回路に接続するための各種コネクタ（図示せず）を、制御基板６上で前記間隙１４内に配置し得るようになっている。
　【００１４】
　ケース本体２の長手方向で対向する二側縁には、夫々取付け孔１５を備えた複数のボス部１６ａ〜１６ｄが横幅方向に沿って所定間隔で列設されている。尚、この実施例ではケース本体２の二側縁に４個のボス部１６ａ〜１６ｄを夫々設けた場合を図示してあるが、この数に限定されるものではない。また、このボス部１６ａ〜１６ｄはケース本体２の二側縁で互いに対称となる位置に配設されている。
　【００１５】
　前記ボス部１６ａ〜１６ｄを夫々設けたケース本体２の二側縁に対応する蓋体４の二側縁には、各ボス部１６ａ〜１６ｄと一対を成すように複数のフランジ部１７ａ〜１７ｄが夫々配設されている。各フランジ部１７ａ〜１７ｄは、図４に拡大して示すように、夫々蓋体４の側縁から所定間隔で側方に突出された一対のリブ片１８，１８と、両リブ片１８，１８に両側縁が支持された係止片１９とからなり、該係止片１９に螺子の挿通孔２０が穿設されている。
　【００１６】
　そして、図５に示すように、該挿通孔２０に後述の締結螺子２１を上方から挿通し、その頭部２２を係止片１９に係止した状態で、該締結螺子２１の胴部２３の雄螺子を、前記各ボス部１６ａ〜１６ｄの取付け孔１５に螺着し得るようになっている。これにより、一対を成すフランジ部１７ａ〜１７ｄとボス部１６ａ〜１６ｄを個々に締結し得るようにしている。
　【００１７】
　前記締結螺子２１は、緊締方向へのみ螺回操作可能な操作頭部２２を備え、胴部２３には雄螺子を形成してなる所謂ワンウエイビスであって、図６に示すように、一般的なビスにおいて操作頭部２２に形成されるドライバー係合溝２２ａの両側に位置する一対の山部のうち、緊締方向の螺回操作時にドライバーが当接する山部２２ｂを備え、弛緩方向の螺回操作時にドライバーが当接する山部を除去したものであり、取付け孔１５に一度緊締されると弛緩方向への螺回操作ができず、その取り外しが不能となる特殊な螺子である。このため、一般的には入手することが非常に困難であることが予想される。
　【００１８】
　そこで、前記各ボス部１６ａ〜１６ｄに、フランジ部１７ａ〜１７ｄとの対向面から予備螺子２１’を入出し得る入出口２４を備えた収納部２５を形成して、該収納部２５に予備螺子２１’を一個づつ収納するようにしている。各収納部２５の入出口２４は、図５に示すように、封印時に、フランジ部１７ａ〜１７ｄで塞がれるようになっており、収納された予備螺子２１’の抜け落ちを防止できるようにしている。尚、図５には、締結螺子２１と予備螺子２１’の二本の螺子が図示されているが、一対を成すボス部１６ａ〜１６ｄとフランジ部１７ａ〜１７ｄを締結螺子２１で締結すると、収納部２５に収納した予備螺子２１’が取り出し不能となるので、実際の使用時にはいずれか一本の螺子が表れることとなる。
　【００１９】
　次にその使用方法と作用について説明する。
　制御基板収納ケース１を封印するには、蓋体４を閉じた状態において、フランジ部１７ａの上方から係止片１９の挿通孔２０にワンウエイビスからなる締結螺子２１を挿通し、該締結螺子２１の胴部２３の雄螺子を、フランジ部１７ａと一対を成すボス部１６ａの取付け孔１５に緊締方向の螺回操作を介してねじ込むことによって緊締状に螺着させる。これにより、フランジ部１７ａとボス部１６ａとが締結され、蓋体４の閉止状態が保持されて、制御基板収納ケース１が封印される。
　【００２０】
　ここで、制御基板収納ケース１の二側縁で互いに対称となる位置に配設された各一対のフランジ部１７ａ，１７ａとボス部１６ａ，１６ａを同時に締結することにより、制御基板収納ケース１の対向する二箇所で締結が行われることとなり、その封印をより確実なものとすることができる。尚、このように封印された制御基板収納ケース１のケース本体２と蓋体４との境目部分に従来の封印シールをさらに貼着するようにしてもよい。
　【００２１】
　前記締結螺子２１は一度緊締すると弛緩方向への螺回操作が不能であるため、該締結螺子２１の取り外しによる制御基板収納ケース１の開封はできない。このため、検査等でやむを得ず制御基板収納ケース１を開封する場合には、封印部分を破壊しなければならない。この封印部分の破壊は、フランジ部１７ａのリブ片１８，１８をニッパー等の適宜の工具で切断し、係止片１９を締結螺子２１とともに蓋体４から切り離すことにより容易に行うことができる。そして、ボス部１６ａには、切り離された係止片１９が締結螺子２１によって締結されたままの状態で残留することとなり、開封の痕跡が残される。
　【００２２】
　再度の封印は、他の一対を成すフランジ部１７ｂとボス部１６ｂとを、上記と同様に締結螺子２１で締結することによって行うことができる。また、再度の開封も、上記と同様にフランジ部１７ｂのリブ片１８，１８をニッパー等の適宜の工具で切断することによって行うことができる。そして、この操作を順次繰り返すことにより、一対を成すボス部１６ａ〜１６ｄとフランジ部１７ａ〜１７ｄの数に対応した所定回数分の封印及び開封が可能となっている。
　【００２３】
　また、二回目以降の封印には、ボス部１６ｂ〜１６ｄの各収納部２５に収納された締結螺子２１としての予備螺子２１’が用いられる。このように、予備螺子２１’をボス部１６ｂ〜１６ｄの収納部２５に収納しておくことにより、使用時期が不定であり、かつ、特殊な螺子である締結螺子２１の予備を常時確保することができる。各予備螺子２１’は、制御基板収納ケース１の封印時において、各収納部２５の入出口２４がフランジ部１７ｂ〜１７ｄで夫々塞がれるため、その抜け落ちが生じず、蓋体４を開放すれば、入出口２４が同時に開放され、使用場所の近接位置にある予備螺子２１’を容易に視認することができるとともに、開放された入出口２４から即座に取り出して使用することができる。
　【００２４】
　尚、上記実施例では、一対を成すボス部１６ａ〜１６ｄとフランジ部１７ａ〜１７ｄを、制御基板収納ケース１の長手方向で対向する二側縁に夫々配設し、一回の封印に、対向する二箇所のボス部１６ａ〜１６ｄとフランジ部１７ａ〜１７ｄを使用してその締結を行う場合について説明したが、封印方法はこれに限定されるものではなく、一側縁のボス部１６ａ〜１６ｄとフランジ部１７ａ〜１７ｄを一回の封印につき、一対だけ締結するようにしても封印は可能である。また、蓋体４を回動可能に枢結した枢結部に対向する一側縁に、一対を成すボス部１６ａ〜１６ｄとフランジ部１７ａ〜１７ｄを配設して封印を行うことも可能である。
　【００２５】
　また、上記実施例では、ケース本体２側にボス部１６ａ〜１６ｄを設け、蓋体４側にフランジ部１７ａ〜１７ｄを設けているが、その配置位置を逆にすることも可能である
　【００２６】
　また、上記実施例では、全てのボス部１６ａ〜１６ｄに予備螺子２１’の収納部２５を夫々形成するようにしているが、初回の締結に使用されるボス部１６ａには予備螺子２１’の収納部２５は不要であるので、該収納部２５をボス部１６ａ以外のボス部１６ｂ〜１６ｄにのみ形成するようにしてもよい。
　【００２７】
　【発明の効果】
　本発明は、上述のように、緊締方向へのみ螺回操作可能な操作頭部を備えてなる締結螺子を用いて一対のボス部とフランジ部とを締結することによって、制御基板収納ケースの封印を行い、封印部分を破壊しなければ開放できないようにしたから、痕跡を残さずに制御基板収納ケースの開放を行うことができず、これにより、制御基板収納ケースの開放による不正行為を確実に防止することができる。また、所轄の検査等の正当な理由で制御基板収納ケースを開放した場合には、一対を成すボス部とフランジ部が複数対設けられていることにより、他の一対のボス部とフランジ部を締結螺子で締結することによって再封印が可能である。これにより一対を成すボス部とフランジ部の数に対応した所定回数の封印を行うことができる。
　【００２８】
　また、制御基板収納ケースに、前記ボス部に、フランジ部との対向面から予備螺子を入出し得る入出口を備えた収納部を、封印時に、前記入出口をフランジ部で塞ぐようにして設けたから、使用場所であるボス部の取付け孔に近接する位置に予備螺子を配置することができる。そして、収納ケースの封印時には、収納部の入出口がフランジ部で塞がれることにより、その抜け落ちを防止することができ、収納ケースを開放すれば、入出口が同時に開放され、予備螺子の存在の視認が容易であるとともに、開放された入出口から即座に取り出して使用することができる等の優れた効果がある。
【図面の簡単な説明】
　【図１】
　本発明にかかる制御基板収納ケースを構成するケース本体と蓋体とを分離した状態の斜視図である。
　【図２】
　ケース本体の平面図である。
　【図３】
　制御基板収納ケースの縦断面図である。
　【図４】
　フランジ部の拡大斜視図である。
　【図５】
　図３における要部の拡大断面図である。
　【図６】
　締結螺子の斜視図である。
　【図７】
　制御基板収納ケースの平面図である。
　【図８】
　制御基板収納ケースの側面図である。
　【符号の説明】
　　１　制御基板収納ケース
　　２　ケース本体
　　３　開口部
　　４　蓋体
　　６　制御基板
　１５　取付け孔
　１６ａ〜１６ｄ　ボス部
　１７ａ〜１７ｄ　フランジ部
　１８　リブ片
　１９　係止片
　２１　締結螺子
　２１’予備螺子
　２２　操作頭部
　２３　胴部
　２４　入出口
　２５　収納部